(57)【要約】      （修正有）【課題】通話音声の品質の劣化を低減することができる通信システムを提供する。【解決手段】通信システムは、外線通話機能を有する携帯型電話端末と、所定の構内における内線網に構内交換機を介して接続される内線端末である携帯型通信端末と、を備え、前記携帯型電話端末と前記携帯型通信端末とは、相互に接続相手を特定して関連付けられて近距離無線通信にて通信可能であり、前記携帯型電話端末は、近距離無線通信を介して、関連付けられた前記携帯型通信端末の中継接続手段を介して内線網あるいは公衆網への発信及び通話を行うと共に、関連付けられた前記携帯型通信端末に対する前記構内交換機からの着信を当該携帯型通信端末の中継接続手段を介して受け付けて通話を行う構内接続手段を備える。【選択図】図１
2014068306.tif 000002
【特許請求の範囲】
【請求項１】
外線通話機能を有する携帯型電話端末と、所定の構内における内線網に構内交換機を介して接続される内線端末である携帯型通信端末と、を備え、
前記携帯型電話端末と前記携帯型通信端末とは、相互に接続相手を特定して関連付けられて近距離無線通信にて通信可能であり、
前記携帯型電話端末は、近距離無線通信を介して、関連付けられた前記携帯型通信端末を中継して内線網あるいは公衆網への発信及び通話を行うと共に、関連付けられた前記携帯型通信端末に対する前記構内交換機からの着信を当該携帯型通信端末を中継して受け付けて通話を行う構内接続手段を備え、
前記携帯型通信端末は、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する中継接続手段を備える、
通信システム。
【請求項２】
請求項１に記載の通信システムであって、
前記携帯型通信端末の前記中継接続手段は、前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
通信システム。
【請求項３】
請求項１又は２に記載の通信システムであって、
前記携帯型通信端末は、当該携帯型通信端末単体による通話機能を有することなく、前記中継通信手段が関連付けられた前記携帯型電話端末の通話を中継する、
通信システム。
【請求項４】
請求項１乃至３のいずれかに記載の通信システムであって、
前記携帯型電話端末は、前記構内接続手段における通話機能の起動と終了とを制御する起動制御手段、
を備える通信システム。
【請求項５】
請求項４に記載の通信システムであって、
前記起動制御手段は、予め設定された起動時間になったときに前記通話機能を起動するとともに、予め設定された終了時間になったときに前記通話機能を終了する、
通信システム。
【請求項６】
請求項４又は５に記載の通信システムであって、
前記構内の出入口付近に配置され、所定の範囲内に位置する前記携帯型電話端末を検出することで、前記携帯型電話端末を保持するユーザの入退室を管理する入退室管理手段を備え、
前記入退室管理手段は、予め入室が設定されている状態にて前記携帯型電話端末を検出した場合に、前記携帯型電話端末へ入室検出通知を送信し、
前記携帯型電話端末の前記起動制御手段は、前記入室検出通知を取得した場合に前記通話機能を起動し、
前記入退室管理手段は、予め退室が設定されている状態にて前記携帯型電話端末を検出した場合に、前記携帯型電話端末へ退室検出通知を送信し、
前記携帯型電話端末の前記起動制御手段は、前記退室検出通知を取得した場合に前記通話機能を終了する、
通信システム。
【請求項７】
請求項１乃至６のいずれかに記載の通信システムであって、
前記携帯型通信端末は、近距離無線通信を介して、前記携帯型通信端末の通信端末識別情報を含む所定の検出信号を出力する通信端末用通信手段を備え、
前記携帯型電話端末は、
前記近距離無線通信を介して、前記携帯型通信端末の前記通信端末用通信手段から前記通信端末識別情報を含む前記検出信号を受信する電話端末用通信手段と、
接続相手の前記携帯型通信端末に予め設定された認証情報と同一の認証情報の入力を受け付ける入力手段と、
を備え、
前記電話端末用通信手段は、前記通信端末識別情報を含む前記検出信号を送信した前記携帯型通信端末へ、前記入力手段により入力を受け付けた前記認証情報を送信して、近距離無線通信を介して通信する前記携帯型通信端末を関連付ける、
通信システム。
【請求項８】
請求項１乃至７のいずれかに記載の通信システムであって、
前記携帯型電話端末と前記携帯型通信端末とは、Bluetooth通信規格により相互に接続相手を特定して関連付けられて近距離無線通信可能である、
通信システム。
【請求項９】
請求項１乃至８のいずれかに記載の通信システムであって、
前記携帯型通信端末と前記構内交換機とは、PHS（Personal Handy-phone System）にて利用される無線通信にて接続される、
通信システム。
【請求項１０】
外線通話機能を有する携帯型電話端末と、所定の構内における内線網に構内交換機を介して接続される内線端末である携帯型通信端末と、を備える通信システムの通信方法であって、
前記携帯型電話端末と前記携帯型通信端末とは、相互に接続相手を特定して関連付けられて近距離無線通信にて通信可能であり、
前記携帯型電話端末は、近距離無線通信を介して、関連付けられた前記携帯型通信端末を中継して内線網あるいは公衆網への発信及び通話を行うと共に、関連付けられた前記携帯型通信端末に対する前記構内交換機からの着信を当該携帯型通信端末を中継して受け付けて通話を行い、
前記携帯型通信端末は、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する、
通信方法。
【請求項１１】
請求項１０に記載の通信方法であって、
前記携帯型通信端末には、前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
通信方法。
【請求項１２】
外線通話機能を有する携帯型電話端末と、所定の構内における内線網に構内交換機を介して接続される内線端末である携帯型通信端末と、を備える通信システムを制御するプログラムであって、
前記携帯型電話端末と前記携帯型通信端末とは、相互に接続相手を特定して関連付けられて近距離無線通信にて通信可能であり、
前記携帯型電話端末にて、近距離無線通信を介して、関連付けられた前記携帯型通信端末を中継して内線網あるいは公衆網への発信及び通話を行うと共に、関連付けられた前記携帯型通信端末に対する前記構内交換機からの着信を当該携帯型通信端末を中継して受け付けて通話を行う構内接続手段を実現させると共に、
前記携帯型通信端末にて、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する中継接続手段を実現させるためのプログラム。
【請求項１３】
請求項１２に記載のプログラムであって、
前記携帯型通信端末の前記中継接続手段は、前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
プログラム。
【請求項１４】
外線通話機能を有する携帯型電話端末と通信し、所定の構内における内線網に構内交換機を介して接続する内線端末として機能する携帯型通信端末であって、
前記携帯型通信端末は、前記携帯型電話端末と相互に接続相手を特定して関連付けられて近距離無線通信にて通信可能であり、
近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する中継接続手段、
を備える携帯型通信端末。
【請求項１５】
請求項１４に記載の携帯型通信端末であって、
前記中継接続手段は、前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
携帯型通信端末。
【請求項１６】
外線通話機能を有する携帯型電話端末と通信し、所定の構内における内線網に構内交換機を介して接続する内線端末として機能する携帯型通信端末の通信方法であって、
前記携帯型通信端末は、前記携帯型電話端末と相互に接続相手を特定して関連付けられて近距離無線通信にて通信可能であり、
前記携帯型通信端末にて、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する、
通信方法。
【請求項１７】
請求項１６に記載の通信方法であって、
前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
通信方法。
【請求項１８】
外線通話機能を有する携帯型電話端末と通信し、所定の構内における内線網に構内交換機を介して接続する内線端末として機能する携帯型通信端末を制御するためのプログラムであって、
前記携帯型通信端末は、前記携帯型電話端末と相互に接続相手を特定して関連付けられて近距離無線通信にて通信可能であり、
前記携帯型通信端末に、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する中継接続手段、
を実現させるためのプログラム。
【請求項１９】
請求項１８に記載のプログラムであって、
前記中継接続手段は、前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
プログラム。
【発明の詳細な説明】
【技術分野】
【０００１】
本発明は、通信システムにかかり、特に、外線通話機能を有する携帯型電話端末に内線通話機能を提供する通信システムに関する。
【背景技術】
【０００２】
会社等では、予め定められた組織内で通話を可能にする内線電話の技術が利用されている。また、携帯電話機等の持ち運び可能な端末装置を利用して、内線通話機能を実現する技術が知られている。
【０００３】
例えば、端末装置が無線LAN（Local Area Network）を利用して、内線通話用の構内交換機と通信することで、内線電話網と接続し、内線通話機能を利用する技術が開示されている（例えば特許文献１参照）。
【先行技術文献】
【特許文献】
【０００４】
【特許文献１】特開２００９−２９０２４６号公報
【発明の概要】
【発明が解決しようとする課題】
【０００５】
しかしながら、無線LANの技術を適用し内線通話機能を利用する端末装置では、音声の品質を維持できないことがあった。例えば、端末装置が無線LANの基地局を高速に切り替える機能（例えばハンドオーバ機能）を有していない場合、端末装置を保持したユーザが移動することにより無線LANの基地局が切り替わったときに通信が途切れることがあった。その結果、通話音声が途切れ、通話音声の品質が劣化するという問題があった。
【０００６】
このため、本発明の目的は、通話音声の品質が劣化するという問題を解決することができる通信システムを提供させることにある。
【課題を解決するための手段】
【０００７】
上記目的を達成すべく、本発明の一形態である通信システムは、
外線通話機能を有する携帯型電話端末と、所定の構内における内線網に構内交換機を介して接続される内線端末である携帯型通信端末と、を備え、
前記携帯型電話端末と前記携帯型通信端末とは、相互に接続相手を特定して関連付けられて近距離無線通信にて通信可能であり、
前記携帯型電話端末は、近距離無線通信を介して、関連付けられた前記携帯型通信端末を中継して内線網あるいは公衆網への発信及び通話を行うと共に、関連付けられた前記携帯型通信端末に対する前記構内交換機からの着信を当該携帯型通信端末を中継して受け付けて通話を行う構内接続手段を備え、
前記携帯型通信端末は、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する中継接続手段を備える、
という構成を取る。
【０００８】
また、本発明の他の形態である通信方法は、
外線通話機能を有する携帯型電話端末と、所定の構内における内線網に構内交換機を介して接続される内線端末である携帯型通信端末と、を備える通信システムの通信方法であって、
前記携帯型電話端末と前記携帯型通信端末とは、相互に接続相手を特定して関連付けられて近距離無線通信にて通信可能であり、
前記携帯型電話端末は、近距離無線通信を介して、関連付けられた前記携帯型通信端末を中継して内線網あるいは公衆網への発信及び通話を行うと共に、関連付けられた前記携帯型通信端末に対する前記構内交換機からの着信を当該携帯型通信端末を中継して受け付けて通話を行い、
前記携帯型通信端末は、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する、
という構成を取る。
【０００９】
また、本発明の他の形態であるプログラムは、
外線通話機能を有する携帯型電話端末と、所定の構内における内線網に構内交換機を介して接続される内線端末である携帯型通信端末と、を備える通信システムを制御するプログラムであって、
前記携帯型電話端末と前記携帯型通信端末とは、相互に接続相手を特定して関連付けられて近距離無線通信にて通信可能であり、
前記携帯型電話端末にて、近距離無線通信を介して、関連付けられた前記携帯型通信端末を中継して内線網あるいは公衆網への発信及び通話を行うと共に、関連付けられた前記携帯型通信端末に対する前記構内交換機からの着信を当該携帯型通信端末を中継して受け付けて通話を行う構内接続手段を実現させると共に、
前記携帯型通信端末にて、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する中継接続手段を実現させるためのプログラムである。
【発明の効果】
【００１０】
本発明は、以上のように構成されることにより通話音声の品質の劣化を低減することができる、という優れた効果を有する。
【図面の簡単な説明】
【００１１】
【図１】本発明に関連する通信システムの構成を示すブロック図である。
【図２】本発明の携帯型電話端末の構成の概略を示すブロック図である。
【図３】記憶部に記憶される電話帳情報の例を示す図である。
【図４】本発明の通信アダプタの構成の概略を示すブロック図である。
【図５】本発明における接続機器特定処理の動作を示すフローチャートである。
【図６】本発明における通信システムの動作を示す説明図である。
【図７】本発明における通信システムの動作を示す説明図である。
【図８】本発明における着信制御処理の動作を示すフローチャートである。
【図９】本発明における着信制御処理の動作を示すフローチャートである。
【発明を実施するための形態】
【００１２】
＜第１実施形態＞
本発明の第１実施形態を、図１乃至図９を参照して説明する。図１乃至図４は、通信システム１の構成を説明するための図である。図５乃至図９は、通信システム１の動作を説明するための図である。
【００１３】
［構成］
図１は、本実施形態における通信システム１の概要を示す図である。通信システム１は、携帯型電話端末１１と、通信アダプタ１２（携帯型通信端末）と、を備えている。携帯型電話端末１１と通信アダプタ１２とは、相互に接続相手を特定して関連付けられて近距離無線通信にて通信を行う。例えば、携帯型電話端末１１と通信アダプタ１２とは、Bluetooth（登録商標）の通信規格により相互に接続相手を特定して、近距離無線通信を行う。また、通信アダプタ１２は、例えばPHS（Personal Handy-phone System）にて利用される（遠距離）無線通信にて、構内交換機１３と通信を行う。
【００１４】
構内交換機１３は、有線にて固定電話機１４と通信し、無線にて通信アダプタ１２と携帯電話機１５と通信することにより、内線網１０１を構築する。構内交換機１３は、通信アダプタ１２と、固定電話機１４と、携帯電話機１５と、を相互に接続することで内線網１０１内での内線通話機能を実現する。また、構内交換機１３は、公衆網１０２と接続し、公衆網１０２と接続された他の電話機（外線）からの発着信を中継して、内線網１０１内の所定の電話機（通信アダプタ１２と固定電話機１４と携帯電話機１５とのいずれか）に外線通話機能を実現させる。なお、構内交換機１３は、複数の固定電話機１４と接続してもよいし、複数の携帯電話機１５と接続してもよい。また、構内交換機１３は、固定電話機１４と携帯電話機１５とのいずれか一方とだけ接続していてもよい。さらに、携帯型電話端末１１は、他の携帯型電話端末１１（他の通信アダプタ１２）と接続することもできる。
【００１５】
また、携帯型電話端末１１は、携帯電話にて利用される無線通信により、携帯電話網１０３と通信することもできる。これにより、携帯型電話端末１１は、構内交換機１３を介さずに、外線通話機能を有することができる。なお、公衆網１０２と携帯電話網１０３とは、同じ通信網とすることもできる。
【００１６】
次に、図２を参照して、携帯型電話端末１１の構成について説明する。図２は、携帯型電話端末１１の構成例を示すブロック図である。図２に示すように、携帯型電話端末１１は、演算部２１と、入力部２２と、出力部２３と、記憶部２４と、近距離通信部２５と、公衆通信部２６と、通話部２７と、を備えている。
【００１７】
演算部２１は、例えばCPU（Central Processing Unit）等により構成されている。演算部２１は、記憶部２４に含まれるROM（Read Only Memory）に格納されたプログラムを読み込み、RAM（Random Access Memory）を作業領域としてプログラムを実行することにより、内線通話機能を含めた各種機能を実現する。具体的には、演算部２１は、ROMに予め記憶された内線電話用アプリケーション（構内接続手段）を起動して、内線通話機能を実行する。また、内線電話用アプリケーションは、内線通話機能に限らず、構内交換機１３を介して公衆網１０２と接続し、外線通話機能も実行することができる。内線電話用アプリケーションの詳細については後述して説明する。これにより、ユーザが所有する使い慣れた携帯電話機に対して、内線通話機能を提供することができる。従って、例えば、ユーザが、法人として契約した公用の携帯電話機と、私用の携帯電話機と、の２つの携帯電話機を所持する必要がなく、ユーザの負担を軽減するとともに、コストを低減することができる。
【００１８】
なお、演算部２１（起動制御手段）は、予め設定した条件に応じて、内線電話用アプリケーション（の通話機能）を自動的に起動または終了してもよい。例えば、ユーザが内線通話機能を利用する会社の出社時間と退社時間とに対応付けて、起動時間と終了時間とをそれぞれ記憶部２４に記憶する。そして、演算部２１は、起動時間になった時に、内線電話用アプリケーションを自動的に起動してもよい。同様に、演算部２１は、終了時間になった時に、内線電話用アプリケーションを自動的に終了してもよい。
【００１９】
また、内線通話機能を利用する所定の構内の出入口付近に、携帯型電話端末１１を検出して、携帯型電話端末１１を保持するユーザの入退室を管理する入退室管理装置（入退室管理手段）を配置してもよい。そして、入退室管理装置は、携帯型電話端末１１が近距離無線通信等により、例えば出社を検出した場合に、内線電話用アプリケーションを自動的に起動してもよい。また、同様に、携帯型電話端末１１が、例えば退社を検出した場合に、内線電話用アプリケーションを自動的に終了してもよい。
【００２０】
具体的には、入退室管理装置は、予め入室が設定されている状態にて携帯型電話端末１１を検出した場合に、携帯型電話端末１１へ入室検出通知を送信する。そして、携帯型電話端末１１の演算部２１は、送信された入室検出通知を取得した場合に内線電話用アプリケーションを自動的に起動する。また、入退室管理装置は、予め退室が設定されている状態にて携帯型電話端末１１を検出した場合に、携帯型電話端末１１へ退室検出通知を送信する。そして、携帯型電話端末１１の演算部２１は、送信された退室検出通知を取得した場合に内線電話用アプリケーションを自動的に終了する。これにより、例えば仕事とプライベートとの公私分計が容易となる。また、内線電話用アプリケーションを自動的に終了するので、携帯型電話端末１１の省電力化を実現することができる。
【００２１】
入力部２２（入力手段）は、例えば、ボタンや、タッチパネル式入力装置、キーボード等により構成され、発信先の電話番号の入力を受け付ける。なお、発信先の電話番号は、ユーザにより直接入力された電話番号でもよいし、後述する記憶部２４に記憶された電話帳情報から選択入力された電話番号でもよい。そして、入力部２２は、電話番号の入力を受け付けた後、発信先の電話番号への発信指示の入力を受け付ける。また、入力部２２は、構内交換機１３から通信アダプタ１２を介して携帯型電話端末１１に着信があった場合に、ユーザからの電話回線を繋げるための入力（電話を受けるための操作）を受け付ける。
【００２２】
出力部２３は、入力部２２により入力されたユーザが発信を所望する発信先の電話番号を表示する。また、出力部２３は、構内交換機１３から通信アダプタ１２を介して携帯型電話端末１１に着信があった場合に、発信元の電話番号、名前等の発信元情報を表示する。さらに、出力部２３は、着信音を出力する等の着信があった旨をユーザに通知するための構成を有する。
【００２３】
記憶部２４は、発信先の電話番号を含む電話帳情報を記憶する。電話帳情報４１は、例えば図３に示すように、１つの発信先につき、ＩＤ（Identification）と、ユーザ名と、外線電話番号と、内線電話番号と、を含む情報を有している。ＩＤは、例えば、発信先の情報を登録する時に自動的に割り当てられる番号である。外線電話番号は、公衆網１０２または携帯電話網１０３を介して通信する電話機の電話番号である。内線電話番号は、内線網１０１内の電話機の電話番号である。なお、電話帳情報４１に含まれる情報は、上記に限られず、電子メールアドレス等の情報も含むことができる。また、外線電話番号と内線電話番号とのそれぞれは１つに限らず、２以上の複数の電話番号をそれぞれ記憶することもできる。また、記憶部２４は、後述する近距離通信部２５により関連付けられた通信アダプタ１２の識別情報を記憶する。これにより、１つの携帯型電話端末１１にて、私用の電話相手の情報と、公用の電話相手の情報と、を記憶するので、ユーザの利便性を向上させることができる。
【００２４】
近距離通信部２５（電話端末用通信手段）は、携帯型電話端末１１と、通信アダプタ１２とを、一対一に対応付けるための処理（例えばペアリング）を行う。ペアリングを行う場合には、まず、ユーザが、携帯型電話端末１１と接続するための通信アダプタ１２を、携帯型電話端末１１が探索可能な探索可能状態に設定する。探索可能状態とは、例えば、予め設定された、携帯型電話端末１１が受信可能な検出信号を通信アダプタ１２の近距離通信部６３（通信端末用通信手段）が出力（送信）する状態である。通信アダプタ１２が出力する検出信号には、例えば、通信アダプタ１２に予め設定された識別情報（通信端末識別情報）を含む機器情報が含まれる。そして、近距離通信部２５は、近距離無線通信にて探索可能状態である機器を探索する。すなわち、近距離通信部２５は、探索可能状態が設定された通信アダプタ１２から出力された検出信号を受信する。続いて、出力部２３は、近距離通信部２５による探索の結果として検出された機器情報の一覧を表示する。続いて、入力部２２は、表示された機器情報の一覧から携帯型電話端末１１と接続するための機器情報の選択入力を受け付ける。以下では、携帯型電話端末１１と接続するための機器として、通信アダプタ１２が選択された場合について説明する。
【００２５】
通信アダプタ１２が選択されると、入力部２２は、認証情報（例えば暗証番号、ＰＩＮ（Personal Identification Number）コード）の入力を受け付ける。認証情報は、例えば、通信アダプタ１２に予め設定された認証情報と同一の情報である。そして、近距離通信部２５は、識別情報を含む検出信号を送信した通信アダプタ１２へ、入力部２２により入力を受け付けた認証情報を送信して、近距離無線通信を介して通信する通信アダプタ１２を関連付ける。これにより、携帯型電話端末１１と通信アダプタ１２とを一対一に対応付けることができる。また、演算部２１は、入力部２２にて入力を受け付けた機器情報（例えば通信アダプタ１２の識別情報）と、認証情報と、を対応付けて記憶部２４に記憶する。以降、携帯型電話端末１１と通信アダプタ１２との間で、近距離無線通信が可能になる。なお、近距離通信部２５は、携帯型電話端末１１が起動した時に認証情報を送信して、常に通信アダプタ１２と接続してもよいし、内線電話用アプリケーションが起動した時に認証情報を送信して、内線電話用アプリケーションが起動中の間、通信アダプタ１２と接続してもよい。なお、近距離通信部２５は、例えばBluetoothや、ZigBee（登録商標）等の通信規格により近距離無線通信を行う。
【００２６】
これにより、携帯型電話端末１１と通信アダプタ１２とは、相互に接続相手を特定して関連付けられて近距離無線通信可能である。従って、携帯型電話端末１１と通信アダプタ１２とを保持したユーザが移動する場合に、常に携帯型電話端末１１は、関連付けられた通信アダプタ１２を介して構内交換機１３と接続するので、通話音声が途中で途切れることを低減することができ、通話音声の品質を維持したまま通話が可能になる。
【００２７】
内線電話用アプリケーションは、近距離通信部２５による近距離無線通信を介して、関連付けられた通信アダプタ１２を中継して内線網１０１あるいは公衆網１０２への発信及び通話を可能にする構成を有する。具体的には、内線電話用アプリケーションは、近距離通信部２５による近距離無線通信を介して、携帯型電話端末１１自身の電話番号（発信元の電話番号）と、入力された発信先の電話番号とを含む発信要求を通信アダプタ１２へ送信する。また、発信先の電話機（例えば固定電話機１４）から発信要求に対する応答を通信アダプタ１２が受信した場合に、内線電話用アプリケーションは、近距離通信部２５による近距離無線通信を介して、通信アダプタ１２から応答を受信する。その後、内線電話用アプリケーションは、近距離通信部２５を介して通信アダプタ１２から受信した通話音声を通話部２７のスピーカ３１へ出力すると共に、通話部２７のマイク３２から取得した通話音声を、近距離通信部２５を介して通信アダプタ１２へ送信する。これにより、無線電話用アプリケーションは、携帯型電話端末１１にて内線通話機能あるいは外線通話機能を実現することができる。
【００２８】
また、内線電話用アプリケーションは、関連付けられた通信アダプタ１２に対する構内交換機１３からの着信を、通信アダプタ１２を中継して受け付けて通話を可能にする構成を有する。具体的には、構内交換機１３から送信された発信元の電話番号を含む呼出情報を、通信アダプタ１２を介して受信する。呼出情報を受信すると、内線電話用アプリケーションは、着信処理を実行する。着信処理は、例えば、出力部２３から予め設定された着信音を鳴らしたり、出力部２３に発信元の電話番号や名前を表示したりする処理である。そして、着信処理に対する応答があり、電話が繋がった場合（例えばオフフック状態になった場合）、内線電話用アプリケーションは、通信アダプタ１２を介して、発信元の電話機へ応答を通知する。これにより、内線電話用アプリケーションは、携帯型電話端末１１にて内線通話機能あるいは外線通話機能を実現する。
【００２９】
公衆通信部２６は、例えば携帯電話網１０３へ、発信及び通話を可能にする構成（外線通話機能）を有する。また、公衆通信部２６は、公衆網からの着信を受け付けて通話を可能にする構成を有する。このように、携帯型電話端末１１は、近距離通信部２５を利用することなく携帯電話網１０３と接続することができる。
【００３０】
次に、図４を参照して、通信アダプタ１２の構成について説明する。図４は、通信アダプタ１２の構成を示すブロック図である。図４に示すように、通信アダプタ１２は、演算部６１と、記憶部６２と、近距離通信部６３と、内線網通信部６４と、を備えている。通信アダプタ１２は、通信アダプタ１２単体による通話機能を有しておらず、携帯型電話端末１１と構内交換機１３との間で通話を中継する。通信アダプタ１２は、所定の構内における内線網（例えば内線網１０１）に構内交換機を介して接続される内線端末である。
【００３１】
演算部６１は、例えばCPUから構成されている。演算部６１は、ROMに格納されたプログラムを読み込み、RAMを作業領域としてプログラムを実行することにより、通信アダプタ１２における各種機能を実現する。具体的には、演算部６１は、ROMに予め記憶された中継接続用アプリケーション（中継接続手段）を起動して、携帯型電話端末１１へ内線通話機能を提供する。中継接続用アプリケーションの詳細については後述して説明する。
【００３２】
記憶部６２は、自身に予め対応付けられた、内線網における電話番号と、認証情報と、を記憶する。認証情報は、接続相手（例えば携帯型電話端末１１）を、関連付けるための情報である。なお、認証情報は予め設定された情報でもよいし、ユーザ等により入力された情報でもよい。
【００３３】
近距離通信部６３は、上述した携帯型電話端末１１の近距離通信部２５と同様の構成を有している。近距離通信部６３は、通信アダプタ１２に上記した探索可能状態が設定された場合に、予め設定された信号を出力する。通信アダプタ１２が出力する信号には、例えば、機器に予め設定された識別情報等の機器情報が含まれる。これにより、携帯型電話端末１１と通信アダプタ１２との関連付けが開始される。また、携帯型電話端末１１により携帯型電話端末１１と通信アダプタ１２とが関連付けられた場合に、近距離通信部６３は、携帯型電話端末１１から認証情報を受信する。中継接続用アプリケーションは、携帯型電話端末１１から認証情報を受信すると、記憶部６２に記憶された認証情報を参照して、携帯型電話端末１１の認証を行う。そして、認証に成功した場合に、中継接続用アプリケーションは、近距離通信部６３（による近距離無線通信）を介して、関連付けられた携帯型電話端末１１と接続する。これにより、携帯型電話端末１１が、通信アダプタ１２を介して通話可能になる。なお、認証に失敗した場合には、携帯型電話端末１１と通信アダプタ１２との間の接続は行われない。
【００３４】
内線網通信部６４は、予め設定された無線通信にて、構内交換機１３と通信する。中継接続用アプリケーションは、関連付けられた携帯型電話端末１１からの内線網１０１あるいは公衆網１０２への発信及び通話を、内線網通信部６４を介して、構内交換機１３に対して送信（中継）する。また、中継接続用アプリケーションは、他の電話機（例えば固定電話機１４）から構内交換機１３と内線網通信部６４とを介して送信された着信を受け付ける。内線網通信部６４は、例えば、PHSや、DECT（Digital Enhanced Cordless Telecommunications）にて利用される（遠距離）無線通信にて構内交換機１３と通信する。
【００３５】
このように、通信アダプタ１２は、通信アダプタ１２単体による通話機能を有することなく、中継接続用アプリケーションが関連付けられた前記携帯型電話端末の通話を中継する。従って、通信アダプタ１２のコストを低減すると共に、通信アダプタ１２を小型化かつ軽量化することができる。
【００３６】
構内交換機１３は、通信アダプタ１２と、固定電話機１４と、携帯電話機１５と、接続し内線網１０１を構成し、内線網１０１内の接続処理を統括的に行う。また、構内交換機１３は、公衆網１０２と接続し、内線網１０１と公衆網１０２との間の接続処理を行う。構内交換機１３は、携帯型電話端末１１により送信され、通信アダプタ１２により中継された発信要求を受信し、発信情報に含まれる発信先の電話番号により示される電話機に対して、発信元の電話番号を含む呼出情報を送信する。呼出情報は、発信先の電話機（または携帯型電話端末１１）に対して着信を通知させるための情報である。また、構内交換機１３は、呼出情報に対する応答を受信すると、発信元の電話番号により示される電話機（例えば通信アダプタ１２）へ応答を通知するとともに、発信元の電話機と発信先の電話機との間の接続処理を行う。
【００３７】
［動作］
次に、図５乃至図７を参照して、上述した通信システム１の動作について詳細に説明する。まず、図５を参照して、携帯型電話端末１１の接続機器特定処理について説明する。なお、接続機器特定処理を実行する場合に、接続先となる機器（例えば通信アダプタ１２）には、探索可能状態が設定されているものとする。
【００３８】
図５の接続機器特定処理では、まず、近距離通信部２５は、探索可能状態の機器を探索する（ステップＳ１）。この例では、通信アダプタ１２が探索可能状態となっており、予め設定された信号（例えば通信アダプタ１２の機器情報）を出力している。従って、近距離通信部２５は、通信アダプタ１２から送信される信号を検出（受信）する。
【００３９】
続いて、出力部２３は、ステップＳ１の処理で探索され検出された機器情報（例えば識別情報）の一覧を表示する（ステップＳ２）。例えば、出力部２３は、通信アダプタ１２の機器情報を表示する。そして、入力部２２は、接続する機器情報の入力を受け付ける（ステップＳ３）。すなわち、ユーザが、携帯型電話端末１１との接続を所望する機器を、出力部２３に表示された機器情報の一覧から選択する。この例では、通信アダプタ１２の機器情報が選択される。
【００４０】
次に、入力部２２は、認証情報の入力を受け付ける（ステップＳ４）。認証情報は、例えば、予め通信アダプタ１２に記憶されている情報である。そして、演算部２１は、機器情報と認証情報とを関連付けて記憶部２４に記憶する（ステップＳ５）。ステップＳ５の処理の後、接続機器特定処理は終了する。
【００４１】
これにより、携帯型電話端末１１は、近距離通信部２５により、記憶部２４に記憶された認証情報を通信アダプタ１２へ送信することで、通信アダプタ１２と近距離無線通信をすることができる。従って、携帯型電話端末１１と通信アダプタ１２とが、接続相手を特定して関連付けられる。
【００４２】
次に、図６を参照して、携帯型電話端末１１が発信を行う場合の処理について説明する。図６においては、最初に携帯型電話端末１１の入力部２２が、発信先の電話番号の入力を受け付ける（ステップＳ１１）。発信先の電話番号はユーザにより直接入力された電話番号でもよいし、記憶部２４に記憶された電話帳情報のうちユーザにより選択入力された電話番号でもよい。続いて、携帯型電話端末１１の内線電話用アプリケーションは、近距離通信部２５を介して、発信要求を通信アダプタ１２へ送信する（ステップＳ１２）。発信要求は、携帯型電話端末１１自身の電話番号と、ステップＳ１１の処理により入力を受け付けた発信先の電話番号を含む情報である。
【００４３】
次に、通信アダプタ１２の中継接続用アプリケーションは、近距離通信部６３を介して、ステップＳ１２の処理で送信された発信要求を受信する（ステップＳ２１）。続いて、通信アダプタ１２の中継接続用アプリケーションは、ステップＳ２１により受信した発信要求を、内線網通信部６４を介して、構内交換機１３へ送信（中継）する（ステップＳ２２）。例えば、通信アダプタ１２は、Bluetoothの通信規格で利用される近距離無線通信にて受信した発信要求を、PHSで利用される無線通信にて構内交換機１３へ送信する。
【００４４】
次に、構内交換機１３は、ステップＳ２２の処理で送信された発信要求を受信する（ステップＳ３１）。続いて、構内交換機１３は、発信要求に含まれる発信先の電話番号に示される発信先の電話機（図６の例では固定電話機１４）へ、発信元の電話番号を含む呼出情報を送信する（ステップＳ３２）。
【００４５】
次に、固定電話機１４は、ステップＳ３２により送信された呼出情報を受信する（ステップＳ４１）。続いて、固定電話機１４は、着信処理を行う（ステップＳ４２）。着信処理は、例えば、予め設定された着信音を鳴らしたり、発信元の電話番号等を表示したりする処理である。そして、固定電話機１４のユーザが着信を受けた（オフフックにした）場合、固定電話機１４は、構内交換機１３へ応答を通知する（ステップＳ４３）。
【００４６】
続いて、構内交換機１３は、ステップＳ４３の処理で通知された応答を受信する（ステップＳ３３）。そして、構内交換機１３は、発信元の電話番号により示される通信アダプタ１２へ応答を通知する（ステップＳ３４）。また、構内交換機１３は、ステップＳ３３の処理により応答を受信すると、発信元の通信アダプタ１２と、発信先の固定電話機１４と、の間の接続処理を行う（ステップＳ３５）。
【００４７】
通信アダプタ１２の中継接続用アプリケーションは、内線網通信部６４を介して、ステップＳ３４の処理で通知された応答を受信する（ステップＳ２３）。そして、通信アダプタ１２の中継接続用アプリケーションは、近距離通信部６３を介して、関連付けられた携帯型電話端末１１へ応答を通知する（ステップＳ２４）。続いて、携帯型電話端末１１の近距離通信部２５は、ステップＳ２４の処理にて通知された応答を受信する（ステップＳ１３）。
【００４８】
これにより、携帯型電話端末１１と固定電話機１４との間の接続が確立され、携帯型電話端末１１のユーザが、固定電話機１４のユーザと通話可能になる。通信システム１では、ユーザが携帯型電話端末１１と通信アダプタ１２とを保持したまま移動することで、携帯型電話端末１１は常に通信アダプタ１２と接続した状態となる。その結果、通話中に通話音声が途切れることがなく、通話音声の劣化を防ぐことができる。なお、携帯型電話端末１１と固定電話機１４とが接続されるとしたが、携帯型電話端末１１は、他の通信アダプタ１２を介して接続された他の携帯型電話端末１１と接続されてもよいし、他の電話機（例えば携帯電話機１５）と接続されてもよい。以下に説明する図７の処理についても同様である。
【００４９】
次に、図７を参照して、携帯型電話端末１１が着信を行う場合の処理について説明する。図７においては、最初に固定電話機１４が、発信先の電話番号の入力を受け付ける（ステップＳ６１）。続いて、固定電話機１４は、発信要求を構内交換機へ送信する（ステップＳ６２）。発信要求は、固定電話機１４自身の電話番号（内線電話番号）と、ステップＳ６１の処理により入力を受け付けた発信先の電話番号（内線電話番号）を含む情報である。
【００５０】
次に、構内交換機１３は、ステップＳ６２の処理で送信された発信要求を受信する（ステップＳ７１）。続いて、構内交換機１３は、発信要求に含まれる発信先の電話番号に示される発信先の通信アダプタ１２へ、発信元の電話番号を含む呼出情報を送信する（ステップＳ７２）。
【００５１】
次に、通信アダプタ１２の中継接続用アプリケーションは、内線網通信部６４を介して、ステップＳ７２により送信された呼出情報を受信する（ステップＳ８１）。続いて、通信アダプタ１２の中継接続用アプリケーションは、近距離通信部６３を介して、ステップＳ８１の処理で受信された呼出情報を携帯型電話端末１１へ送信（中継）する（ステップＳ８２）。
【００５２】
そして、携帯型電話端末１１の内線電話用アプリケーションは、近距離通信部２５を介して、ステップＳ８２により送信された呼出情報を受信する（ステップＳ９１）。続いて、携帯型電話端末１１の内線電話用アプリケーションは、着信処理を行う（ステップＳ９２）。着信処理は、例えば、出力部２３から予め設定された着信音を出力したり、出力部２３に発信元の電話番号等を表示したりする処理である。そして、携帯型電話端末１１のユーザが着信を取った（オフフックにした）場合、携帯型電話端末１１の内線電話用アプリケーションは、近距離通信部２５を介して、通信アダプタ１２へ応答を通知する（ステップＳ９３）。
【００５３】
通信アダプタ１２の中継接続用アプリケーションは、近距離通信部６３を介して、ステップＳ９３の処理で通知された応答を受信する（ステップＳ８３）。そして、通信アダプタ１２の中継接続用アプリケーションは、内線網通信部６４を介して、構内交換機１３へ応答を通知する（ステップＳ８４）。
【００５４】
続いて、構内交換機１３は、ステップＳ８４の処理で通知された応答を受信する（ステップＳ７３）。そして、構内交換機１３は、発信元の電話番号により示される固定電話機１４へ応答を通知する（ステップＳ７４）。また、構内交換機１３は、ステップＳ７３の処理により応答を受信すると、発信元の固定電話機１４と、発信先の通信アダプタ１２と、の間の接続処理を行う（ステップＳ７５）。
【００５５】
続いて、固定電話機１４は、ステップＳ７４の処理にて通知された応答を受信する（ステップＳ６３）。これにより、携帯型電話端末１１と固定電話機１４との間の接続が確立され、固定電話機１４のユーザが、携帯型電話端末１１のユーザと通話可能になる。
【００５６】
これにより、携帯型電話端末１１と固定電話機１４との間の接続が確立され、携帯型電話端末１１のユーザが、固定電話機１４のユーザと通話可能になる。そして、携帯型電話端末１１が発信を行う場合と同様に、ユーザが携帯型電話端末１１と通信アダプタ１２とを保持したまま移動することで、携帯型電話端末１１が常に通信アダプタ１２と接続した状態となる。その結果、通話中に通話音声が途切れることがなく、通話音声の劣化を防ぐことができる。
【００５７】
次に、図８を参照して、携帯型電話端末１１が携帯電話網１０３を介して他の電話機（以下、携帯電話機Ａと記載する）と通信している場合（外線通話中）に、構内交換機１３（および通信アダプタ１２）を介して他の電話機（例えば、固定電話機１４）から着信があった場合の処理について説明する。
【００５８】
図８の着信制御処理では、携帯型電話端末１１は、携帯電話網１０３と接続された基地局（図示せず）を介して、携帯電話機Ａと通話中の状態であるとする。携帯型電話端末１１が携帯電話機Ａと通話中の状態である場合に、内線電話用アプリケーションは、近距離通信部２５を介して、通信アダプタ１２から呼出情報を受信する（ステップＳ１１１）。この呼出情報は、例えば、固定電話機１４が送信した発信要求（図７のステップＳ６２）に基づく、呼出情報であるとする。続いて、内線電話用アプリケーションは、携帯電話網使用状態を取得する（ステップＳ１１２）。すなわち、携帯型電話端末１１が、携帯電話網１０３を介して携帯電話機Ａと通信しているか否かを表す情報を取得する。
【００５９】
続いて、内線電話用アプリケーションは、ステップＳ１１２の処理で取得した携帯電話網使用状態に基づいて、携帯型電話端末１１が携帯電話網１０３を使用中であるか否かを判定する（ステップＳ１１３）。内線電話用アプリケーションは、携帯型電話端末１１が携帯電話網１０３を使用中でないと判定した場合（ステップＳ１１３：Ｎｏ）、着信処理を行う（ステップＳ１１４）。ステップＳ１１４の着信処理は、図７のステップＳ９２にて説明した着信処理と同様であるので、詳細な説明は省略する。
【００６０】
一方、内線電話用アプリケーションは、携帯型電話端末１１が携帯電話網１０３を使用中であると判定した場合（ステップＳ１１３：Ｙｅｓ）、割込着信処理を行う（ステップＳ１１５）。割込着信処理は、例えば、ユーザが携帯型電話端末１１を利用して通話中である場合に、スピーカ３１から着信音とは異なる予め設定された割込着信音を出力したり、出力部２３に割込着信の発信元の電話番号等を表示したりする処理である。
【００６１】
そして、内線電話用アプリケーションは、割込着信処理による着信の応答を受け付けたか否かを判定する（ステップＳ１１６）。すなわち、内線電話用アプリケーションは、ユーザが割込着信を受け付けたか否かを判定する。内線電話用アプリケーションは、応答を受け付けた場合（ステップＳ１１６：Ｙｅｓ）、公衆通信部２６を介して携帯電話網１０３と接続された基地局へ保留を通知する（ステップＳ１１７）。これにより、内線電話用アプリケーションは、携帯電話網１０３を介して携帯型電話端末１１と通信をしていた携帯電話機Ａに保留を通知する。なお、内線電話用アプリケーションは、保留を通知する代わりに、携帯電話機Ａとの通信を切断し、通話を終了させることもできる。
【００６２】
続いて、内線電話用アプリケーションは、通信アダプタ１２へ応答を通知する（ステップＳ１１８）。ステップＳ１１８の処理は、図７のステップＳ９３にて説明した処理と同様であるので、詳細な説明は省略する。これにより、内線電話用アプリケーションは、割込みによる着信があった固定電話機１４との通信を開始することができる。
【００６３】
一方、ステップＳ１１６において、内線電話用アプリケーションが、応答を受け付けていないと判定した場合（ステップＳ１１６：Ｎｏ）、近距離通信部２５を介して、通信アダプタ１２へ通話中を通知する（ステップＳ１１９）。これにより、内線電話用アプリケーションは、通信アダプタ１２と構内交換機１３とを介して、固定電話機１４へ通話中を通知する。
【００６４】
ステップＳ１１８，Ｓ１１９の処理の後、図８の着信制御処理は終了する。このように、携帯型電話端末１１が携帯電話網１０３を介して通信している場合でも、携帯型電話端末１１は、構内交換機１３（内線網１０１）を介して送信される他の電話機（例えば固定電話機１４）からの発信要求を受信し、ユーザに着信があったことを通知することができる。
【００６５】
次に図９を参照して、携帯型電話端末１１が構内交換機１３（および通信アダプタ１２）を介して他の電話機（例えば、固定電話機１４）と通信している場合に、携帯電話網１０３を介して携帯電話機Ａから着信があった場合の処理について説明する。
【００６６】
図９の着信制御処理では、まず、内線電話用アプリケーションは、携帯型電話端末１１が携帯電話網１０３と接続された基地局から着信を受け付けたか否かを判定する（ステップＳ１３１）。すなわち、内線電話用アプリケーションは、携帯電話網１０３からの着信があるかを監視する。内線電話用アプリケーションは、基地局から着信を受け付けていないと判定した場合（ステップＳ１３１：Ｎｏ）、処理はステップＳ１３１に戻り同様の処理を繰り返す。
【００６７】
一方、内線電話用アプリケーションは、基地局から着信を受け付けたと判定した場合（ステップＳ１３１：Ｙｅｓ）、割込着信処理を行う（ステップＳ１３２）。割込着信処理は、図８のステップＳ１１５の処理と同様であり、例えば、ユーザが携帯型電話端末１１を利用して通話中の状態である場合に、スピーカ３１から着信音とは異なる予め設定された割込着信音を出力したり、出力部２３に割込着信の発信元の電話番号等を表示したりする処理である。
【００６８】
そして、内線電話用アプリケーションは、応答を受け付けたか否かを判定する（ステップＳ１３３）。すなわち、内線電話用アプリケーションは、ユーザが割込着信を受け付けたか否かを判定する。内線電話用アプリケーションは、応答を受け付けた場合（ステップＳ１３３：Ｙｅｓ）、近距離通信部２５を介して、通信アダプタ１２へ保留を通知する（ステップＳ１３４）。これにより、内線電話用アプリケーションは、通信アダプタ１２と構内交換機１３とを介して、固定電話機１４に保留を通知する。なお、内線電話用アプリケーションは、保留を通知する代わりに、固定電話機１４との通信を切断し、通話を終了させることもできる。
【００６９】
続いて、内線電話用アプリケーションは、公衆通信部２６を介して携帯電話網１０３と接続された基地局へ応答を通知する（ステップＳ１３５）。これにより、携帯型電話端末１１は、携帯電話網１０３を介して携帯電話機Ａと通信することができる。
【００７０】
一方、ステップＳ１３３において、内線電話用アプリケーションが、応答を受け付けていないと判定した場合（ステップＳ１３３：Ｎｏ）、公衆通信部２６を介して携帯電話網１０３と接続された基地局へ通話中を通知する（ステップＳ１３６）。これにより、携帯型電話端末１１は、携帯電話網１０３を介して、携帯電話機Ａへ通話中を通知する。
【００７１】
ステップＳ１３５，Ｓ１３６の処理の後、図９の着信制御処理は終了する。このように、携帯型電話端末１１が構内交換機１３（内線網１０１）を介して通信している場合でも、携帯型電話端末１１は、携帯電話網１０３を介して送信される他の電話機からの発信要求を受信し、ユーザに着信があったことを通知することができる。
【００７２】
このように、本実施形態における携帯型電話端末は、関連付けられた通信アダプタ（携帯型通信端末）と常に接続し、内線網あるいは公衆網と接続された他の電話機と通話するので、通話音声が途切れることがなく、通話音声の品質の劣化を低減することができる。
【００７３】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００７４】
＜付記＞
上記実施形態の一部又は全部は、以下の付記のようにも記載されうる。以下、本発明における情報処理装置等の構成の概略を説明する。但し、本発明は、以下の構成に限定されない。
【００７５】
（付記１）
外線通話機能を有する携帯型電話端末と、所定の構内における内線網に構内交換機を介して接続される内線端末である携帯型通信端末と、を備え、
前記携帯型電話端末と前記携帯型通信端末とは、相互に接続相手を特定して関連付けられて近距離無線通信にて通信可能であり、
前記携帯型電話端末は、近距離無線通信を介して、関連付けられた前記携帯型通信端末を中継して内線網あるいは公衆網への発信及び通話を行うと共に、関連付けられた前記携帯型通信端末に対する前記構内交換機からの着信を当該携帯型通信端末を中継して受け付けて通話を行う構内接続手段を備え、
前記携帯型通信端末は、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する中継接続手段を備える、
通信システム。
【００７６】
これにより、携帯型電話端末は、関連付けられた携帯型通信端末と常に接続し、内線網あるいは公衆網と接続された他の電話機と通話するので、通話音声が途切れることがなく、通話音声の品質の劣化を低減することができる。
【００７７】
（付記２）
付記１に記載の通信システムであって、
前記携帯型通信端末の前記中継接続手段は、前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
通信システム。
【００７８】
これにより、外線通話機能を有する携帯型電話端末に対して、内線通話機能を提供することができる。
【００７９】
（付記３）
付記１又は２に記載の通信システムであって、
前記携帯型通信端末は、当該携帯型通信端末単体による通話機能を有することなく、前記中継通信手段が関連付けられた前記携帯型電話端末の通話を中継する、
通信システム。
【００８０】
これにより、携帯型通信端末は、通話の中継のみを行うので、携帯型通信端末のコストを低減すると共に、携帯型通信端末を小型化かつ軽量化することができる。
【００８１】
（付記４）
付記１乃至３のいずれかに記載の通信システムであって、
前記携帯型電話端末は、前記構内接続手段における通話機能の起動と終了とを制御する起動制御手段、
を備える通信システム。
【００８２】
これにより、構内接続手段における通話機能を使用しないときは、通話機能を終了することができるので、携帯型電話端末の消費電力を低減することができる。
【００８３】
（付記５）
付記４に記載の通信システムであって、
前記起動制御手段は、予め設定された起動時間になったときに前記通話機能を起動するとともに、予め設定された終了時間になったときに前記通話機能を終了する、
通信システム。
【００８４】
これにより、起動時間になると通話機能が自動的に起動し、終了時間になると通話機能が自動的に終了するので、ユーザが手動で通話機能の起動と終了を操作する必要がなく、ユーザの利便性が向上するとともに、携帯型電話端末の消費電力を低減することができる。
【００８５】
（付記６）
付記４又は５に記載の通信システムであって、
前記構内の出入口付近に配置され、所定の範囲内に位置する前記携帯型電話端末を検出することで、前記携帯型電話端末を保持するユーザの入退室を管理する入退室管理手段を備え、
前記入退室管理手段は、予め入室が設定されている状態にて前記携帯型電話端末を検出した場合に、前記携帯型電話端末へ入室検出通知を送信し、
前記携帯型電話端末の前記起動制御手段は、前記入室検出通知を取得した場合に前記通話機能を起動し、
前記入退室管理手段は、予め退室が設定されている状態にて前記携帯型電話端末を検出した場合に、前記携帯型電話端末へ退室検出通知を送信し、
前記携帯型電話端末の前記起動制御手段は、前記退室検出通知を取得した場合に前記通話機能を終了する、
通信システム。
【００８６】
これにより、携帯型電話端末を保持するユーザの入室が検出されると通話機能が自動的に起動し、退室が検出されると通話機能が自動的に終了するので、ユーザが手動で通話機能の起動と終了を操作する必要がなく、ユーザの利便性が向上するとともに、携帯型電話端末の消費電力を低減することができる。
【００８７】
（付記７）
付記１乃至６のいずれかに記載の通信システムであって、
前記携帯型通信端末は、近距離無線通信を介して、前記携帯型通信端末の通信端末識別情報を含む所定の検出信号を出力する通信端末用通信手段を備え、
前記携帯型電話端末は、
前記近距離無線通信を介して、前記携帯型通信端末の前記通信端末用通信手段から前記通信端末識別情報を含む前記検出信号を受信する電話端末用通信手段と、
接続相手の前記携帯型通信端末に予め設定された認証情報と同一の認証情報の入力を受け付ける入力手段と、
を備え、
前記電話端末用通信手段は、前記通信端末識別情報を含む前記検出信号を送信した前記携帯型通信端末へ、前記入力手段により入力を受け付けた前記認証情報を送信して、近距離無線通信を介して通信する前記携帯型通信端末を関連付ける、
通信システム。
【００８８】
これによれば、携帯型電話端末が、携帯型通信端末から送信された検出信号を受信し、携帯型通信端末に設定された認証情報と同一の認証情報の入力を受け付けて、入力を受け付けた認証情報を検出信号を送信した携帯型通信端末へ送信するので、携帯型通信端末と携帯型電話端末とを関連付けて近距離無線通信にて通信可能にすることができる。
【００８９】
（付記８）
付記１乃至７のいずれかに記載の通信システムであって、
前記携帯型電話端末と前記携帯型通信端末とは、Bluetooth通信規格により相互に接続相手を特定して関連付けられて近距離無線通信可能である、
通信システム。
【００９０】
このように、Bluetooth通信規格による近距離無線通信により携帯型電話端末と携帯型通信端末との間の通信を行うので、携帯型通信端末が確実に通話を中継することができる。
【００９１】
（付記９）
付記１乃至８のいずれかに記載の通信システムであって、
前記携帯型通信端末と前記構内交換機とは、PHS（Personal Handy-phone System）にて利用される無線通信にて接続される、
通信システム。
【００９２】
これにより、所定の内線網内において、携帯型通信端末が確実に通話を中継することができる。
【００９３】
（付記１０）
外線通話機能を有する携帯型電話端末と、所定の構内における内線網に構内交換機を介して接続される内線端末である携帯型通信端末と、を備える通信システムの通信方法であって、
前記携帯型電話端末と前記携帯型通信端末とは、相互に接続相手を特定して関連付けられて近距離無線通信にて通信可能であり、
前記携帯型電話端末は、近距離無線通信を介して、関連付けられた前記携帯型通信端末を中継して内線網あるいは公衆網への発信及び通話を行うと共に、関連付けられた前記携帯型通信端末に対する前記構内交換機からの着信を当該携帯型通信端末を中継して受け付けて通話を行い、
前記携帯型通信端末は、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する、
通信方法。
【００９４】
（付記１１）
付記１０に記載の通信方法であって、
前記携帯型通信端末には、前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
通信方法。
【００９５】
（付記１２）
外線通話機能を有する携帯型電話端末と、所定の構内における内線網に構内交換機を介して接続される内線端末である携帯型通信端末と、を備える通信システムを制御するプログラムであって、
前記携帯型電話端末と前記携帯型通信端末とは、相互に接続相手を特定して関連付けられて近距離無線通信にて通信可能であり、
前記携帯型電話端末にて、近距離無線通信を介して、関連付けられた前記携帯型通信端末を中継して内線網あるいは公衆網への発信及び通話を行うと共に、関連付けられた前記携帯型通信端末に対する前記構内交換機からの着信を当該携帯型通信端末を中継して受け付けて通話を行う構内接続手段を実現させると共に、
前記携帯型通信端末にて、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する中継接続手段を実現させるためのプログラム。
【００９６】
（付記１３）
付記１２に記載のプログラムであって、
前記携帯型通信端末の前記中継接続手段は、前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
プログラム。
【００９７】
（付記１４）
外線通話機能を有する携帯型電話端末と通信し、所定の構内における内線網に構内交換機を介して接続する内線端末として機能する携帯型通信端末であって、
前記携帯型通信端末は、前記携帯型電話端末と相互に接続相手を特定して関連付けられて近距離無線通信にて通信可能であり、
近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する中継接続手段、
を備える携帯型通信端末。
【００９８】
（付記１５）
付記１４に記載の携帯型通信端末であって、
前記中継接続手段は、前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
携帯型通信端末。
【００９９】
（付記１６）
外線通話機能を有する携帯型電話端末と通信し、所定の構内における内線網に構内交換機を介して接続する内線端末として機能する携帯型通信端末の通信方法であって、
前記携帯型通信端末は、前記携帯型電話端末と相互に接続相手を特定して関連付けられて近距離無線通信にて通信可能であり、
前記携帯型通信端末にて、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する、
通信方法。
【０１００】
（付記１７）
付記１６に記載の通信方法であって、
前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
通信方法。
【０１０１】
（付記１８）
外線通話機能を有する携帯型電話端末と通信し、所定の構内における内線網に構内交換機を介して接続する内線端末として機能する携帯型通信端末を制御するためのプログラムであって、
前記携帯型通信端末は、前記携帯型電話端末と相互に接続相手を特定して関連付けられて近距離無線通信にて通信可能であり、
前記携帯型通信端末に、近距離無線通信を介して、関連付けられた前記携帯型電話端末からの内線網あるいは公衆網への発信及び通話を前記構内交換機に対して中継すると共に、前記構内交換機からの着信を受け付けて関連付けられた前記携帯型通信端末に中継する中継接続手段、
を実現させるためのプログラム。
【０１０２】
（付記１９）
付記１８に記載のプログラムであって、
前記中継接続手段は、前記内線網における電話番号が割り当てられており、関連付けられた前記携帯型電話端末からの発信要求に応じて前記割り当てられた電話番号から前記構内交換機に対して発信を行うと共に、当該構内交換機から前記割り当てられた電話番号への着信を受け付けて関連付けられた前記携帯型通信端末に中継する、
プログラム。
【符号の説明】
【０１０３】
１      通信システム
１１    携帯型電話端末
１２    通信アダプタ
１３    構内交換機
２１    演算部
２２    入力部
２３    出力部
２４    記憶部
２５    近距離通信部
２６    公衆通信部
２７    通話部
６１    演算部
６２    記憶部
６３    近距離通信部
６４    内線網通信部
１０１  内線網
１０２  公衆網
１０３  携帯電話網
【図１】
2014068306.tif 000003
【図２】
2014068306.tif 000004
【図３】
2014068306.tif 000005
【図４】
2014068306.tif 000006
【図５】
2014068306.tif 000007
【図６】
2014068306.tif 000008
【図７】
2014068306.tif 000009
【図８】
2014068306.tif 000010
【図９】
2014068306.tif 000011